(57)【要約】  【目的】  水等により任意の像を描くことができると共に、マグネット類の吸着が可能である、多様な使用用途を備えた可逆変色性表示体及びそれを用いた可逆変色性表示体セットを提供する。  【構成】  磁性を有する支持体２に、低屈折率顔料をバインダー樹脂に分散状態に固着させた、吸液状態と非吸液状態で透明性を異にする多孔質層３を設けてなる可逆変色性表示体１。前記可逆変色性表示体１の多孔質層側表面が磁性を有する。前記磁性を有する支持体２が板状磁性体からなる。前記磁性を有する支持体２がシート状物である。前記可逆変色性表示体１と水付着手段とからなる可逆変色性表示体セット。  【選択図】  図１
2010046381.tif 000002
【特許請求の範囲】
【請求項１】
磁性を有する支持体からなる磁性板と、前記磁性板に磁着可能である支持体表面に低屈折率顔料をバインダー樹脂に分散状態に固着させた吸液状態と非吸液状態で透明性を異にする多孔質層を設けてなる複数の装飾片とからなり、前記磁性板表面の色調と装飾片表面の色調が異なるように構成される磁着玩具セット。
【請求項２】
前記磁性板表面に、低屈折率顔料をバインダー樹脂に分散状態に固着させた吸液状態と非吸液状態で透明性を異にする多孔質層を設けてなる請求項１記載の磁着玩具セット。
【請求項３】
前記磁性板が収容されると共に、前記装飾片が内部に収容される保護ケースを有する請求項１又は２に記載の磁着玩具セット。
【請求項４】
水付着手段を備えてなる請求項１乃至３のいずれかに記載の磁着玩具セット。
【請求項５】
前記水付着手段が、連続気孔を有するプラスチック多孔体又は繊維加工体をペン先部材として適用した筆記具又は塗布具、或いは、スタンプ具の何れかより選ばれる少なくとも一種である請求項４記載の磁着玩具セット。
【請求項６】
前記水付着手段を収容する収容部を保護ケースに備えてなる請求項４又は５に記載の磁着玩具セット。
【発明の詳細な説明】
【技術分野】
【０００１】
本発明は、磁着玩具セットに関する。更には、繰返し筆記が可能な装飾片と磁性板からなる磁着玩具セットに関する。
【背景技術】
【０００２】
従来、二部材の磁着を用いた玩具が複数存在しており、例えば、被磁着シート上に種々の形状からなる装飾片を磁着させて遊ぶ磁着パズル玩具が開示されている（例えば、特許文献１参照）。
前記パズル玩具は、磁石シートからなる複数の装飾片を組み合わせて被磁着シート上に磁着していくことで種々の図形を形成できるものであるが、磁石を貼り付ける単調なパズル遊びを行うことしかできないものである。
また、他の玩具として、筆記用具と字消し具を用いた書き消しが可能なボードの裏面に磁石を備えた移動機構を設け、ボード表面の特定箇所に磁石付人形を磁着させることが可能なイラストボードが開示されている（例えば、特許文献２参照）。
前記イラストボードは、筆記用具によるボード面への描画と、該ボードに磁着させた人形を一定の軌道で動かすことが可能であるため、人形の軌道に合わせた種々の情景をボードに描くことで、各背景中を人形が動くシーンを再現できるものである。
しかしながら、前記イラストボードは描画を書き換える度に字消し具で消去する必要があるために周囲を汚したり書き換えの手間が掛かるものであると共に、磁着部分が限られるためにボード全面を有効に使うことができないものであった。
【特許文献１】実用新案登録第３０４６１９６号公報
【特許文献２】実開平４−９９９９８号公報
【発明の開示】
【発明が解決しようとする課題】
【０００３】
本発明は、磁性板のあらゆる箇所に装飾片を磁着させることが可能であり、カラフルな装飾片の磁着と該装飾片への描画によって、周囲を汚すことなく多彩な像形成が繰り返し可能となる興趣に富んだ磁着玩具セットを提供するものである。
【課題を解決するための手段】
【０００４】
本発明は、磁性を有する支持体からなる磁性板と、前記磁性板に磁着可能である支持体表面に低屈折率顔料をバインダー樹脂に分散状態に固着させた吸液状態と非吸液状態で透明性を異にする多孔質層を設けてなる複数の装飾片とからなり、前記磁性板表面の色調と装飾片表面の色調が異なるように構成される磁着玩具セットを要件とする。
更に、前記磁性板表面に、低屈折率顔料をバインダー樹脂に分散状態に固着させた吸液状態と非吸液状態で透明性を異にする多孔質層を設けてなること、前記磁性板が収容されると共に、前記装飾片が内部に収容される保護ケースを有することを要件とする。
更には、水付着手段を備えてなること、前記水付着手段が、連続気孔を有するプラスチック多孔体又は繊維加工体をペン先部材として適用した筆記具又は塗布具、或いは、スタンプ具の何れかより選ばれる少なくとも一種であること、前記水付着手段を収容する収容部を保護ケースに備えてなることを要件とする。
【発明の効果】
【０００５】
本発明により装飾片への液体付着による描画が可能となるため、磁着によるパズル遊びや図形形成に加え、所望箇所に磁着した装飾片への加筆（液体付着）によって様々な像や情景の形成を容易且つ繰り返し行うことができる興趣に富んだ磁着玩具セットとなる。
更に、磁性板に多孔質層を設けることで、所望箇所に磁着した装飾片と磁性板への描画（液体付着）による多彩なシーンの形成が可能な磁着玩具セットとなる。
【発明を実施するための最良の形態】
【０００６】
本発明の磁着玩具セットは、磁性を有する支持体からなる磁性板と、該磁性板に磁着可能な複数の装飾片とから構成されており、磁性板と装飾片（少なくとも吸液時又は非吸液時のどちらか一方）とが表面の色調を異にするものである。
【０００７】
前記磁性板について説明する。
前記磁性板となる磁性を有する支持体とは、少なくとも表面に磁石（マグネット）が磁着（吸着）できるものであれば汎用の磁性体を用いることができる。具体的には、鉄、コバルト、ニッケル、マグネタイト、マンガンフェライト、ニッケルフェライト、コバルトフェライト、バリウムフェライト、ニッケル亜鉛フェライト、銅亜鉛フェライト、マンガン亜鉛フェライト、マグネシウム亜鉛フェライト、タングステン等が挙げられ、これらを着色させたものも使用できる。また、前記磁性体は少なくとも一種以上で用いられ、磁化された状態のもの（所謂、磁石状態）であっても使用できる。
【０００８】
前記支持体としては、前述の磁性体を板状（箔状も含む）で直接使用する他、粉状磁性体をゴム類や他の樹脂組成物中に分散してシート状、板状、表面凹凸状等の成形体として適用することができる。
また、前記支持体として、任意の基材に前記板状（箔状）磁性体を貼付したり、粉状磁性体を分散した塗布液やシート等を塗布、貼着することにより磁性層を設けたものを用いることもできる。
その際、前記基材として織物、編物、組物、不織布等の布帛、紙類、プラスチックフィルム等の可撓性を有するものと可撓性磁性層とを用いることで、支持体の表裏両面に磁性を付与できると共に、折り畳むことや、丸めることが可能となるので、収容性を向上させることができる。
また、木材、陶器、樹脂成型物等の一定の強度を備えた材料を用いることで、得られる磁性板の質感や装飾性を向上させると共に、装飾片を磁着した後の筆記時の安定性を向上させることができる。
【０００９】
前記磁性板の表面色調は、支持体の色調をそのまま使用する他、塗布や貼着により着色層を形成することもできる。これにより単色形成はもちろん、複数色で模様や図形等を形成することが可能となり、よりデザイン性に富んだ構成とすることができる。
また、前記磁性板には、磁性を有する状態を維持したまま、以下で説明する装飾片に用いられる多孔質層を磁性板（支持体）の表面又は表裏両面に形成することができる。
多孔質層を設けることで、磁性板への液体による筆跡形成が可能となるため、広範囲への筆記ができると共に、装飾片と組み合わせることでより多様な描画（例えば、磁性板への筆跡を背景とする描画等）を形成することが可能となる。
その際、多孔質層の下面に着色層や防水層（非浸水性フィルムや接着剤からなる層）を設け、筆記時に多彩な色調を構成したり、支持体（下層の磁性体）への液体の浸透を抑制することもできる。
【００１０】
前記磁性板の形状は特に限定されるものではなく、正方形、長方形、三角形、六角形等の多角形、円、楕円、瓢箪形、その他動物、植物、乗物等の形象物を模した形状の板状物を用いることができる。特に、多角形を用いる場合、安全性を高めるために、頂点の鋭角部を面取することや、曲面状とすることが好ましい。
また、前記磁性板には、持ち運び性能を向上させるために把持部を設けることもできる。
【００１１】
次に装飾片について説明する。
前記装飾片は磁性板に磁着可能であると共に、表面に形成される多孔質層の色調が少なくとも吸液時又は非吸液時のいずれか一方において、磁性板表面の色調と異なる色調で構成されている。そのため磁性板に磁着した際に、玩具全体をカラフルな図柄に構成することができる。
前記装飾片は、先に示した磁性板に磁着可能な支持体、例えば、磁石（固形磁石やマグネットシート等）や磁石を備えた任意の基材（シート状、立体物等）が適用されるが、前記磁性板が磁力を備える場合には前述した磁性を有する支持体を適用することも可能であり、磁性板に応じて適宜選択される。
【００１２】
前記装飾片表面の多孔質層は、低屈折率顔料をバインダー樹脂と共に分散状態に固着させた層であり、液体の付着により透明化することで下層が視認されて色調変化をもたらすものである。
前記低屈折率顔料としては、珪酸及びその塩、バライト粉、硫酸バリウム、炭酸バリウム、炭酸カルシウム、石膏、クレー、タルク、アルミナホワイト、炭酸マグネシウム等が挙げられ、これらは屈折率が１．４〜１．８の範囲にあり、液状組成物を吸液すると良好な透明性を示すものである。
尚、前記珪酸の塩としては、珪酸アルミニウム、珪酸アルミニウムカリウム、珪酸アルミニウムナトリウム、珪酸アルミニウムカルシウム、珪酸カリウム、珪酸カルシウム、珪酸カルシウムナトリウム、珪酸ナトリウム、珪酸マグネシウム、珪酸マグネシウムカリウム等が挙げられる。
前記低屈折率顔料の粒径は特に限定されるものではないが、０．０３〜１０．０μｍのものが好適に用いられる。
また、前記低屈折率顔料は２種以上を併用することもできる。
尚、好適に用いられる低屈折率顔料としては珪酸が挙げられる。前記珪酸は、乾式法により製造させる珪酸であってもよいが、湿式法により製造される珪酸（以下、湿式法珪酸と称する）が特に効果的であり、実用性を満たす。
また、前記多孔質層の常態での隠蔽性と吸液状態での透明性を調整するために、湿式法珪酸と共に、他の汎用の低屈折率顔料を併用することもできる。
【００１３】
前記多孔質層中の湿式法珪酸は、粒子径、比表面積、吸油量等の性状に左右されるが、常態での隠蔽性と吸液状態での透明性を共に満足するためには、塗布量が１ｇ／ｍ２〜３０ｇ／ｍ２であることが好ましく、より好ましくは、５ｇ／ｍ２〜２０ｇ／ｍ２である。１ｇ／ｍ２未満では、常態で十分な隠蔽性を得ることが困難であり、又、３０ｇ／ｍ２を越えると吸液時に十分な透明性を得ることが困難である。
前記珪酸の粒径は特に限定されるものではないが、０．０３〜１０．０μｍのものが好適に用いられる。
前記珪酸はバインダー樹脂を結合剤として含むビヒクル中に分散され、基材に塗布した後、揮発分を乾燥させて多孔質層を形成する。
前記バインダー樹脂としては、ウレタン系樹脂、ナイロン樹脂、酢酸ビニル樹脂、アクリル酸エステル樹脂、アクリル酸エステル共重合樹脂、アクリルポリオール樹脂、塩化ビニル−酢酸ビニル共重合樹脂、マレイン酸樹脂、ポリエステル樹脂、スチレン樹脂、スチレン共重合樹脂、ポリエチレン樹脂、ポリカーボネート樹脂、エポキシ樹脂、スチレン−ブタジエン共重合樹脂、アクリロニトリル−ブタジエン共重合樹脂、メタクリル酸メチル−ブタジエン共重合樹脂、ブタジエン樹脂、クロロプレン樹脂、メラミン樹脂、及び前記各樹脂エマルジョン、カゼイン、澱粉、セルロース誘導体、ポリビニルアルコール、尿素樹脂、フェノール樹脂等が挙げられる。
前記珪酸とこれらのバインダー樹脂の混合比率は、珪酸の種類及び性状に左右されるが、好ましくは、珪酸１重量部に対してバインダー樹脂固形分０．５〜２重量部であり、より好ましくは、０．８〜１．５重量部である。珪酸１重量部に対してバインダー樹脂固形分が０．５重量部未満の場合には、前記多孔質層の実用的な皮膜強度を得ることが困難であり、２重量部を越える場合には、前記多孔質層内部への水の浸透性が悪くなる。
前記多孔質層は、従来公知の一般的な塗膜と比較して着色剤に対するバインダー樹脂の混合比率が小さいため、十分な皮膜強度が得られ難い。そこで、耐擦過強度を高めるために、前記のバインダー樹脂のうち、ナイロン樹脂又はウレタン系樹脂を用いると効果的である。
前記ウレタン系樹脂としては、ポリエステル系ウレタン樹脂、ポリカーボネート系ウレタン樹脂、ポリエーテル系ウレタン樹脂等があり、２種以上を併用することもできる。また、前記樹脂が水に乳化分散したウレタン系エマルジョン樹脂や、イオン性を有するウレタン樹脂（ウレタンアイオノマー）自体のイオン基により乳化剤を必要とすることなく自己乳化して、水中に溶解乃至分散したコロイド分散型（アイオノマー型）ウレタン樹脂を用いることもできる。
尚、前記ウレタン系樹脂は水性ウレタン系樹脂又は油性ウレタン系樹脂のいずれを用いることもできるが、本発明においては水性ウレタン系樹脂、殊に、ウレタン系エマルジョン樹脂やコロイド分散型ウレタン系樹脂が好適に用いられる。
前記ウレタン系樹脂は単独で用いることもできるが、支持体の種類や皮膜に必要とされる性能に応じて、他のバインダー樹脂を併用することもできる。ウレタン系樹脂以外のバインダー樹脂を併用する場合、実用的な皮膜強度を得るためには、前記多孔質層のバインダー樹脂中にウレタン系樹脂を固形分重量比率で３０％以上含有させることが好ましい。
前記バインダー樹脂において、架橋性のものは任意の架橋剤を添加して架橋させることにより、さらに皮膜強度を向上させることができる。
前記バインダー樹脂には、水との親和性に大小が存在するが、これらを組み合わせることにより、多孔質層中への浸透時間、浸透度合い、浸透後の乾燥の遅速を調整することができる。更には、適宜分散剤や界面活性剤を添加して前記調整をコントロールすることができる。
【００１４】
尚、前記多孔質層中には、従来公知の二酸化チタン被覆雲母、酸化鉄−二酸化チタン被覆雲母、酸化鉄被覆雲母、グアニン、絹雲母、塩基性炭酸鉛、酸性砒酸鉛、オキシ塩化ビスマス等の金属光沢顔料を添加したり、一般染料や顔料、蛍光染料や蛍光顔料を混在させて色変化を多様化させることができる。
また、温度変化により可逆的に色変化する、従来公知の可逆熱変色顔料を混在させて、環境温度や付着させる水温により色変化させることができる。
更には、前記多孔質層の上層、下層、近傍等に着色層を配設して様相変化を更に多様化させることができる。
前記多孔質層及び着色層は、ベタ印刷状のものに限らず、文字、記号、図柄等の像（着色像）であってもよい。
前記多孔質層及び着色層は、従来公知の手段、例えば、スクリーン印刷、オフセット印刷、グラビヤ印刷、コーター、タンポ印刷、転写等の印刷手段、刷毛塗り、スプレー塗装、静電塗装、電着塗装、流し塗り、ローラー塗り、浸漬塗装等により形成できる。
【００１５】
また、前記多孔質層と支持体の間に、非浸水性フィルムや接着剤からなる防水層を介在することもできる。これにより多孔質層の下層に液体が侵入することを抑制できるので、錆び易い支持体を用いた場合であっても、支持体の腐食を抑制できる。前記防水層は透明のものに限らず、着色したものを用いることもできる。
【００１６】
更に、前記各層の間には着色層を介在させることもできる。これにより多孔質層が吸液状態となった際に視認される色調を多様化することができ、しかも、図柄や模様等の形態（像）で着色層を形成することも可能となるため、より付加価値を高めることができる。
【００１７】
前記装飾片の形状は特に限定されるものではなく、好ましくは正方形、長方形、三角形、六角形等の多角形、円、楕円、瓢箪形、星形、三日月形、ハート形、その他動物、植物、乗物等の形象物を模した形状の板状物や立体物を用いることができる。特に、多角形を用いる場合、安全性をより高めるために、頂点の鋭角部を面取することや、曲面状とすることが好ましい。
【００１８】
前記装飾片と磁着板からなる磁着玩具セットには、磁性板をケース上面（表面）や内部に収容すると共に、ケース内に各装飾片（更には他の付属物）を収容することができるような保護ケースを付属することもできる。これにより非使用時の各パーツの散乱や紛失を抑制でき、見栄えの良い収納形態を維持できる。尚、前記収容部分には、収容時に各パーツがケース内で散乱しないように各パーツの形状に型抜きされた収容型を設けることもできる。
また、装飾片が磁着（筆記）可能な状態で磁性板を保持（収容）できる構造とすることで、保護ケースに保持（収容）したまま使用することが可能となる。
更に、保護ケースに把持部を設けて持ち運び性を向上させたり、磁性板を立て掛けた状態で保持するための保持部を設けて描画後の像（磁着状態）を展示すること等もできる。
その他、保護ケースを見開き状態とし、外面に磁性板（折り畳み収容されているもの）を載置保持して使用状態とする構成をとることで、収容時にはコンパクトに保管できると共に、使用時には大面積への磁着、筆記ができる形態となる。
【００１９】
前記装飾片や磁性板に水を付着させる方法としては、手や指を水で濡らして多孔質層に接触させる方法、先端部に筆穂や繊維ペン体等を有する筆記又は塗布具、或いは、スポンジに水を含浸させて多孔質層に接触させる方法、水を収容した容器を多孔質層に近接又は接触させ、容器内から水を導出して付着させる方法、印面に連続気泡又は独立気泡を有する発泡体を固着したスタンプ具に水を含浸させて多孔質層に付着させる方法、プラスチックやゴムの印面を粗面に形成したスタンプ具に水を付着させ、多孔質層に接触させる方法が挙げられる。
尚、水を収容した容器を多孔質層に近接又は接触させ、容器内から水を導出して付着させる方法としては、容器内に水を収容し、且つ、容器内の水を導出する繊維体や刷毛を設けて水を塗布する方法、容器内に水を収容し、且つ、噴霧装置を設けて、水をスプレーする方法、注射器のように容器内の水を押圧して、水を噴出させる方法等が挙げられる。
前記水を付着させる手段としては、筆記又は塗布具、スポンジ、スタンプ具、スプレー装置、注射器を例示でき、磁着玩具セットに組み合わせることができる。
尚、好ましい水付着手段としては、連続気孔を有するプラスチック多孔体又は繊維加工体をペン先部材として適用した筆記具又は塗布具、或いは、スタンプ具であり、任意の筆記像又は印像を簡便に形成でき、実用性を高めることができる。
前記における連続気孔を有するプラスチック多孔体又は繊維加工体は、水を適宜量、吸収し、吐出させるものであればよく、従来汎用のポリオレフィン系、ポリウレタン系、その他各種プラスチックの連続気孔体や繊維を集束させた毛筆状のもの、繊維の樹脂加工又は熱溶着加工によるもの、フェルト、不織布形態のものを挙げることができ、形状、寸法は目的に応じて任意に設定できる。
また、前記筆記具、塗布具、スタンプ具等の水付着手段にマグネットを設けることにより、磁性板への磁着保持が可能となるので、非使用時の収容性を向上させ、紛失を防ぐことができる。更に、前記保護ケースを用いる場合には、該ケースに前記水付着手段を保持、収容するスペースを設けることで、非使用時の水付着手段の散乱や紛失を抑制することができる。
【００２０】
更に、前記磁着玩具セットには、多孔質層を有さない磁性体やマグネット（磁性板に磁着するもの）、ステンシル等を組み合わせることで、磁着による装飾をより多彩なものとすることや、所望の像を簡易に形成することが可能となる。尚、前記マグネット（磁性体）は、軟質板状、棒状、立方状等汎用のものを直接使用したり、前記形態のものに樹脂、陶器、ガラス等からなる成形物を配設、接着したものを適用できる。
また、装飾片で種々の形象物（例えば人、動物、家、車、ヨット等）を磁性板上に形成するための組み合わせ例を掲載した冊子やシート等を付属することもでき、それにより使用時に多様な像を形成することが容易なものとなる。
これらの付属物も先の保護ケースに収容できるような構成とすることで、非使用時の散乱や紛失を抑制することが可能となる。
【実施例】
【００２１】
以下に図面に従って実施例を示すが、本発明は実施例に限定されるものではない。尚、実施例中の部は重量部を示す。
実施例１（図１参照）
磁性板の作製
厚さ２ｍｍの鉄板からなる支持体に、厚さ０．１ｍｍの青色プラスチックフィルム（防水層）を接着剤により貼着した後、該フィルム上に、湿式法珪酸〔商品名：ニップシールＥ−２００、日本シリカ工業（株）製〕１５部、ウレタンエマルジョン〔商品名：ハイドランＨＷ−９３０、大日本インキ化学工業（株）製、固形分５０％〕３０部、水５０部、シリコーン系消泡剤０．５部、水系インキ用増粘剤３部、エチレングリコール１部、ブロックイソシアネート系架橋剤３部を均一に混合、攪拌してなる白色スクリーン印刷用インキを用いて、１００メッシュのスクリーン版にてベタ印刷し、１３０℃で５分間乾燥硬化させて多孔質層を形成した。その後、縦２５ｃｍ、横３０ｃｍの長方形形状（頂部はいずれも曲面状に形成される）に裁断して磁性板２を得た。
前記磁性板２は、乾燥状態では略全面が白色（多孔質層の色調）に視認されるが、水を付着させると多孔質層が吸液により白色不透明状態から無色透明状態に変化し、下層のプラスチックフィルムによる青色の色調が視認される。前記吸液状態ではその状態を維持しているが、水が蒸発乾燥することにより、元の白色の状態へと変化する。
尚、前記磁性板２は多孔質層側全面に磁性を有するので、多孔質層表面のいずれの位置にもマグネット類を吸着させることができる。
また、前記磁性板２の裏面には、赤色プラスチックフィルムと前記多孔質層を順に積層することで、筆記時の色調が赤色となる筆記面を設けて使用することもできる。その際、表裏で別の色調の筆跡が形成できるため、より応用性の高い玩具となる。尚、裏面に多孔質層を設けた場合も磁性を有するように構成される。
【００２２】
装飾片の作製
厚さ１ｍｍのゴム磁石（マグネットシートとも呼ばれる、磁化された磁性体を分散したゴム）に、粘着層を介して白色合成紙を貼着してなる支持体表面（合成紙上）に、着色層（順に緑、ピンク、ダークブルー、ダークピンク）を積層（インキ形態での塗布）し、更に、湿式法珪酸〔商品名：ニップシールＥ−２００、日本シリカ工業（株）製〕１５部、着色顔料（順に黄、黄、青、ピンク）０．５部、ウレタンエマルジョン〔商品名：ハイドランＨＷ−９３０、大日本インキ化学工業（株）製、固形分５０％〕３０部、水５０部、シリコーン系消泡剤０．５部、水系インキ用増粘剤３部、エチレングリコール１部、ブロックイソシアネート系架橋剤３部を均一に混合、攪拌してなる各着色スクリーン印刷用インキを用いて、１００メッシュのスクリーン版にてベタ印刷した後、１３０℃で５分間乾燥硬化させて着色多孔質層を形成することで、４種類の装飾片用シートを得た。尚、前記シートの色調は、乾燥状態→吸液状態において、順に、黄緑→緑、黄→オレンジ、水色→ダークブルー、ピンク→ダークピンクに変色するものであり、水が蒸発乾燥することで元の色調（乾燥状態）に戻る。
更に、前記各装飾片用シートを、丸、三角、正方形、長方形等の形状でくり抜くことで、複数の装飾片３を得た。
【００２３】
磁着玩具セットの作製
前記白色磁性板２と、黄緑色、黄色、水色、ピンク色の複数形状の装飾片３（具体的には、大きさの異なる円形、三角形、正方形、長方形）と共に、軸筒内に水を収容可能に構成し、繊維加工ペン体を設けたペン４（水付着手段）を組み合わせて磁着玩具セット１を得た。
前記磁着玩具セット１は、白色の磁性板２に種々形状（色調）の装飾片３を磁着することでカラフルな像が形成でき、更に、ペン４を用いて磁性板２及び各装飾片３に筆跡２１、３１を形成すること（多孔質層を透明化させて下層の色調を現出させること）も可能であるため、様々な像をカラフルに形成できる、興趣に富んだ玩具となる。尚、磁性板２への筆跡２１は青色で得られ、各装飾片３への筆跡３１は緑、オレンジ、ダークブルー、ダークピンクで得られるため、色彩豊かな像形成が可能なものとなる。
また、前記筆跡２１、３１は、多孔質層が吸液した状態では保持されており、乾燥すると元の色調（乾燥状態の色調）に復するものであり、この現象は何度も繰り返し行うことができた。
【００２４】
実施例２（図２参照）
実施例１と同様の構成の磁性板を縦２０ｃｍ、横２８ｃｍの長方形形状（頂部はいずれも曲面状に形成される）に裁断した磁性板２と、実施例１で作製した黄緑色、黄色、水色、ピンク色の複数形状の装飾片３（具体的には、大きさの異なる円形、三角形、正方形、長方形）と、軸筒内に水を収容可能に構成し、繊維加工ペン体を設けたペン４（水付着手段）と共に、前記磁性板２が上面（一側面）に収容可能な樹脂成型体からなる保護ケース５を組み合わせて磁着玩具セット１を得た。
【００２５】
前記保護ケース５は、一面を開口し、内部を収容部５１とする容器型樹脂成形物（略直方体）であり、外周部分に持ち手を備えると共に、磁性板２を裏返して（即ち、多孔質層を内側にした状態）開口部分（段部）を塞ぐように載置して保持（収容）することで、容易に持ち運びができる形状となっている。
前記開口部内側は各パーツを収納する収容部５１となっており、装飾片３を収容する部分（図２の収容部５１前方）と、ペン４を収容する部分（前方部分より深く設定される収容部５１後方）に分かれている。尚、磁着玩具セットにテンプレート等の薄板状物品を併用する場合には、前記前方部分に収容でき、スタンプ等の肉厚物品（形象物）を併用する場合には前記後方部分に収容できるため、非使用時の散乱や紛失を抑制できる。
また、前記開口部内には、前記磁性板２を立てるための保持部材５２が孔部に着脱自在に設けられており、非使用時には取り外して収容部５１内に収容され、使用時には孔部に挿入することで簡単に取り付けられる形態となっている（図は使用状態を示す）。そのため、磁性板２を立て掛けた状態で像を形成したり、先に像を形成した磁性板２を展示することが可能である。
尚、磁着玩具セット１には、装飾片３を組み合わせて形成される形象物の例（見本）を掲載した冊子が付属されており、非使用時には収容部５１内に収納できる大きさで構成されている。
【００２６】
実施例３（図３参照）
磁性板の作製
厚さ０．５ｍｍのアイアンラバー（折り曲げ可能なゴム状鉄板）を支持体とし、目付け量９０ｇ／ｍ２のポリエステル繊維（１デニール×１０ｍｍ）２０％とセルロース繊維７０％及びアクリル樹脂１０％からなる白色の不織布を貼着した後、該不織布の表面に、青色顔料５部、アクリル酸エステルエマルジョン〔商品名：モビニール７６３、ヘキスト合成（株）社製、固形分４８％〕５０部、水性インキ増粘剤３部、レベリング剤０．５部、消泡剤０．３部、エポキシ系架橋剤５部を均一に混合攪拌してなる青色スクリーン印刷用インキを用いて、１５０メッシュのスクリーン版にて全面ベタ印刷し、１００℃で３分間乾燥硬化させて青色の着色層を形成した。
次いで、前記着色層上の全面に、湿式法微粉末シリカ〔商品名：ニップシールＥ−２００、日本シリカ工業（株）製〕１５部、ウレタンエマルジョン〔商品名：ハイドランＨＷ−９３０、大日本インキ化学工業（株）製、固形分５０％〕３０部、水５０部、シリコーン系消泡剤０．５部、水系インキ用増粘剤３部、エチレングリコール１部、イソシアネート系架橋剤３部を均一に混合、攪拌してなる白色スクリーン印刷用インキを用いて、８０メッシュのスクリーン版にてベタ印刷し、１３０℃で５分間乾燥硬化させて多孔質層を形成した後、縦２８ｃｍ、横４０ｃｍの長方形形状（頂部はいずれも曲面状に形成される）に裁断することで磁性板２を得た。
【００２７】
磁着玩具セットの作製
前記磁性板２と、実施例１で作製した黄緑色、黄色、水色、ピンク色の複数形状の装飾片３（具体的には、大きさの異なる円形、三角形、正方形、長方形）と、軸筒内に水を収容可能に構成し、繊維加工ペン体（又は印面）を設けたペン４及びスタンプ具（水付着手段）と共に、前記磁性板２を半分に折り畳んで収容することができ、見開き状態で外面に前記磁性板２を保持できる、樹脂成型体（２部材をヒンジにより開閉可能に接続したもの）からなる保護ケース５を組み合わせて磁着玩具セット１を得た。
【００２８】
前記磁着玩具セット１は使用時、保護ケース５を見開き状に開き、外面部分を上面とした状態で磁性板２の四隅を4箇所の保持部５２に差し込むことで大面積の磁性板２を安定保持できるため、該磁性板２に種々形状（色調）の装飾片３を磁着してカラフルな像が大面積に形成できるものである。更に、ペン４（スタンプ具）を用いて磁性板２及び各装飾片３に筆跡２１、３１を形成すること（多孔質層を透明化させて下層の色調を現出させる）が可能であるため、様々な像をカラフル且つ大面積に形成できる、興趣に富んだ玩具となる。尚、磁性板２への筆跡２１は青色で得られ、各装飾片３への筆跡３１は緑、オレンジ、ダークブルー、ダークピンクで得られるため、色彩豊かな像形成が可能なものとなる。
また、前記筆跡２１、３１は、多孔質層が吸液した状態では保持されており、乾燥すると元の色調（乾燥状態の色調）に復するものであり、この現象は何度も繰り返し行うことができる。
【００２９】
収納時には、前記磁性板２を中心で折り曲げ、見開き状に開かれた保護ケース５内面の片側に収容すると共に、他方には各パーツ（各装飾片３とペン４とスタンプ具）を収容する部分が形取られた窪み（収容型）が形成されているので、該窪み部分に合う各パーツを収容した後、閉じることで持ち手５３が使用できる状態となり、容易に持ち運びができる形態となっている。前記窪み（収容型）を設けることで、収納時（持ち運び時）にケース内で各パーツがばらばらになることがなくなるため、より使い勝手のよいものとなる。
また、持ち手５３近傍には、前記保護ケース５を閉じた状態で、不用意に開くことを防止するためのスライド式係止部が設けられている。
【図面の簡単な説明】
【００３０】
【図１】本発明の磁着玩具セットの使用状態を示す斜視図である。
【図２】本発明の別の磁着玩具セットの使用状態を示す斜視図である。
【図３】本発明の別の磁着玩具セットの使用状態を示す斜視図である。
【符号の説明】
【００３１】
１  磁着玩具セット
２  磁性板
２１、３１  筆跡
３  装飾片
４  ペン（水付着手段）
５  保護ケース
５１  収容部
５２  保持部材、保持部
５３  持ち手
【図１】
2010046381.tif 000003
【図２】
2010046381.tif 000004
【図３】
2010046381.tif 000005